(57)【要約】      （修正有）【課題】経机を移動容易にする経机の台車を提供する。【解決手段】台車２は、主プレート６及びキャスター１２を備えている。キャスター１２は、主プレート６の下面の四隅に取り付けられている。キャスター１２が車輪２２を備えている。車輪２２が台車２の移動方向に合わせてその転がる方向が変えられるように構成されている。主プレート６の上面に経机が載せられる。好ましくは、台車２は、主プレート６の縁から下方に伸びる側プレート８及び１０を備えている。好ましくは、台車２は、主プレート６の上面に化粧層４を備えている。化粧層４は、芯板２４、畳み表２６及びヘリ２８を備えている。芯板２４の上面は、畳み表２６に覆われている。畳み表２６の縁は、ヘリ２８に覆われている。【選択図】図３
0003145043.tif 000002
【実用新案登録請求の範囲】
【請求項１】
主プレート及び車輪を備えており、
この車輪が主プレートの下面の四隅に取り付けられており、
経机が載せられる台車。
【請求項２】
主プレート及びキャスターを備えており、
このキャスターが主プレートの下面の四隅に取り付けられており、
このキャスターが車輪を備えており、
この車輪が移動方向に合わせてその転がる方向が変えられるように構成されており、
経机が載せられる台車。
【請求項３】
主プレートの縁から下方に伸びる側プレートを備えており、
この側プレートの下方端から主プレートの上面までの高さＨ１が車輪の接地面から主プレートの上面までの高さＨ２より小さくされており、
この高さＨ１と高さＨ２との差が１ｍｍ以上１０ｍｍ以下である請求項１又は２に記載の台車
【請求項４】
主プレートの上面に化粧層を備えており、
この化粧層が芯板、畳み表及びヘリを備えており、
芯板の上面が畳み表に覆われており、
畳み表の縁がヘリに覆われている請求項１から３のいずれかに記載の台車。
【請求項５】
上記主プレートの上面に凹部が形成されており、
上記化粧層の下面に凸部が形成されており、
この凹部と凸部が嵌め合わせ及び取り外し可能にされている請求項４に記載の台車。
【考案の詳細な説明】
【技術分野】
【０００１】
本考案は、経机を載せて移動可能とされた台車に関する。
【背景技術】
【０００２】
仏壇の前には、経机が置かれる。経机に、種々の仏具が置かれる。例えば、経本、香炉、線香炉及びリンが置かれる。経机に、供物が置かれることもある。例えば、果物及び菓子が置かれる。
【０００３】
この経机を収容可能とされた仏壇がある。この経机は、仏壇の下部に収納される。この経机は、仏壇の内部に収納可能とされている。仏壇の内部から出すこと及び仏壇の内部に入れることが可能とされている。この経机は、仏壇に前後方向にスライド可能に支持されている。この経机は、前方に経机を支持する脚を備えている。この脚の下端にローラを備えている。このローラは、経机の前後方向に転がるように取り付けられている。この仏壇では、経机は、仏具を載せたままで仏壇に収納可能とされている。
【特許文献１】実開平０３−１１６１８１号公報
【考案の開示】
【考案が解決しようとする課題】
【０００４】
仏壇は、飾り棚を備えている。飾り棚には、仏具、花及び供物が供えられる。仏壇の前には、経机が置かれている。経机越しに仏壇に花及び供物が置かれる。経机をそのままにして、花及び供物を飾り棚にお供えする動作は前屈みの姿勢となる。身体への負担が大きい。経机が移動させられるとお供えをする動作は容易になる。経机が移動させられるため、経机に載せられた仏具が一端下ろされる。この方法では、仏具の上げ下ろしに手間がかかる。仏具を載せたままの経机は重い。仏具を載せたままの経机を移動する動作は、お年寄り及び子供には重労働である。
【０００５】
一方で、仏具を載せられたままの経机を仏壇に収容することが考えられる。前述の仏壇では、仏具が収まる空間を設ける必要がある。仏壇内部の空間に大きな無駄が生じる。
【０００６】
本考案の目的は、経机を移動容易にした経机の台車の提供にある。
【課題を解決するための手段】
【０００７】
本考案に係る台車は、主プレート及び車輪を備えている。この車輪が主プレートの下面の四隅に取り付けられている。この台車には、経机が載せられる。
【０００８】
本考案に係る台車は、主プレート及びキャスターを備えている。このキャスターは、主プレートの下面の四隅に取り付けられている。このキャスターが車輪を備えている。この車輪が移動方向に合わせてその転がる方向が変えられるように構成されている。この台車には、経机が載せられる。
【０００９】
好ましくは、この台車は、主プレートの縁から下方に伸びる側プレートを備えている。上記側プレートの下方端から主プレートの上面までの高さＨ１は、車輪の接地面から主プレートの上面までの高さＨ２より小さくされている。この高さＨ１と高さＨ２との差は、１ｍｍ以上１０ｍｍ以下である
【００１０】
好ましくは、この台車は、主プレートの上面に化粧層を備えている。この化粧層は、芯板、畳み表及びヘリを備えている。芯板の上面は、畳み表に覆われている。畳み表の縁は、ヘリに覆われている。
【００１１】
好ましくは、この台車では、上記主プレートの上面に凹部が形成されている。上記化粧層の下面に凸部が形成されている。この凹部と凸部が嵌め合わせ及び取り外し可能にされている。
【考案の効果】
【００１２】
この台車は、仏具及び供物も載せられた状態で経机が移動されうる。この台車に載せられた経机は、容易に移動されうる。キャスターを備えた台車は、前後左右のいずれの方向にも容易に移動されうる。
【考案を実施するための最良の形態】
【００１３】
以下、適宜図面が参照されつつ、好ましい実施形態に基づいて本考案が詳細に説明される。
【００１４】
図１は、本考案に係る台車２の平面図である。図１は、この台車２が上方から下向きに見られた状態が示されている。図２は、図１の台車２の底面図である。図２は、台車２が下方から上向きに見られた状態が示されている。図３は、図１の台車２のIII−III断面図である。台車２は、化粧層４、主プレート６、側プレート８、側プレート１０及びキャスター１２を備えている。
【００１５】
主プレート６は、本体１４及び補強プレート１６を備えている。本体１４は、平面が矩形の板である。側プレート８及び１０は、この本体１４の縁から下方に延びている。本体１４の下面の左右の端には、補強プレート１６が取り付けられている。この補強プレート１６の前後方向の端には、キャスター１２が取り付けられている。キャスター１２は主プレート６の四隅に位置している。キャスター１２は、側プレート８及び１０に囲まれた空間に位置している。
【００１６】
キャスター１２は、ステー１８、回転軸２０及び車輪２２を備えている。ステー１８は、補強プレート１６に取り付けられている。回転軸２０は、ステー１８に支持されている。ステー１８は、回転軸２０を主プレート６の平面に垂直な方向を軸線にして回転可能に支持している。この回転軸２０は、この軸線から偏心して位置している。車輪２２には、この回転軸２０が通されている。車輪２２は、この回転軸２０回りに回転可能にされている。この構成により、この車輪２２は、台車２の移動方向に合わせてその転がる方向が変えられる。
【００１７】
図３の両矢印Ｈ１は、側プレート８の下方端から主プレート６の上面までの高さを表している。この台車２では、高さＨ１は、側プレート１０の下方端から主プレート６の上面までの高さでもある。両矢印Ｈ２は、車輪２２の接地面から主プレート６の上面までの高さを表している。この台車２では、高さＨ１は高さＨ２より小さくされている。この台車２では、高さＨ２と高さＨ１の差は、５ｍｍとされている。
【００１８】
化粧層４は、芯板２４、畳み表２６及びヘリ２８を備えている。芯板２４の平面は、主プレート６とほぼ同じ大きさの矩形である。この畳み表２６は、イグサの茎が麻糸で縫われたむしろである。この畳み表２６は、芯板２４の上方の平面を覆っている。芯板２４と畳み表２６の重ねられた端にヘリ２８が重ねられる。ヘリ２８は、畳み表２６の端から側面を経て底面の端までを覆っている。この化粧層４が、主プレート６に取り付けられている。化粧層４は、接着剤で主プレート６に固定されている。化粧層４の固定は、ねじ止めであってもよい。
【００１９】
図４は、図１の台車２の使用状態が示された正面図である。図５は、図１の台車２の使用状態が示された側面図である。この図４において、紙面に垂直な方向が前後方向である。図４及び図５には、仏壇３０と経机３２とが示されている。
【００２０】
仏壇３０は、本体収納部３４と下台３６とを備えている。本体収容部３４は、下台３６の上に載せられている。本体収納部３４は、内部空間３８、観音開き４０及び飾り棚４２を備えている。この内部空間３８の開口４４が、本体収容部３４の正面に形成されている。この観音開き４０が、この開口４４に設けられている。内部空間３８に、飾り棚４２が形成されている。この飾り棚４２は、３段の棚が設けられている。図示されないが、この飾り棚４２には、本尊、仏具及び供物が置かれる。
【００２１】
経机３２は、仏壇３０の開口４４の手前に置かれる。経机３２は、天板４６及び４本の脚４８を備えている。天板４６の下面から４本の脚４８が下方に向かって延びている。この４本の脚４８の先端が台車２の畳み表２６に接地して、天板４６が支えられている。この天板４６の上には、例えば、図示されない蝋燭、焼香用香炉及び線香鉢が置かれる。
【００２２】
台車２は、仏壇３０の開口４４の手前に置かれる。仏壇３０の飾り棚４２に、花及び供物が供えられる。この経机３２は台車２の載せられている。台車２は、主プレートの四隅に車輪２２を備えている。これにより、経机３２が安定して台車２に載せられる。この台車２を押すことで車輪２２が転がり、台車２が移動可能とされている。この台車２及び経机３２は、軽い力で移動可能となっている。経机３２の載せられた仏具を上げ下ろしする必要がない。この経机３２を移動して、仏壇３０に花及び供物が供えられる。老人及び子供も容易に花及び供物を供えることができる。
【００２３】
この台車２はキャスター１２を備えているので、左右前後斜め方向のいずれの方向にも移動可能とされている。前後方向いずれかに移動して更に左右方向いずれかに移動することも可能である。この経机３２はいずれの方向にも移動可能とされている。仏壇３０の周辺の床には、飾り棚４２に載せられない供物が置かれる。この台車２及び経机３２は、床に置かれた供物を回避して移動することが容易である。
【００２４】
経机３２の天板４６と台車２との間には、空間が形成されている。この空間は、天板４６、脚４８及び台車２に囲われている。この空間に、図示されない蝋燭、マッチ及び線香が置かれる。これらの仏具は、台車２に載せられている。これらの仏具も、経机３２と共に移動させられる。経机３２の下に置かれる仏具も共に移動することができる。経机３２の下に置かれた仏具の移動がより容易になっている。
【００２５】
この台車２では図３に示された高さＨ２と高さＨ１の差は、５ｍｍとされている。側プレート８の下方端から主プレート６の上面までの高さＨ１が、車輪２２の接地面から主プレート６の上面までの高さＨ２より小さくされている。これにより、この台車２は、キャスター１２により容易に移動できる。この観点から、高さＨ２と高さＨ１の差は、１ｍｍ以上が好ましく、２ｍｍ以上が更に好ましい。一方、高さＨ２と高さＨ１の差が小さい台車２では、側プレート８及び１０で車輪２２が隠される。これにより、台車２の美観が保持される。この観点から、高さＨ２と高さＨ１の差は、１０ｍｍ以下が好ましく、６ｍｍ以下が更に好ましい。
【００２６】
この台車２の芯板２４は、畳み表２６で被われている。芯板２４及び畳み表２６の端はヘリ２８で被われている。これにより、床の畳と調和している。この側プレート８及び１０には、クロスが貼られる。側プレート８及び１０には、仏壇３０と同様の表面処理を施してもよい。この台車２は、美観に優れている。
【００２７】
この台車２は、キャスター１２に代えて、車輪を備えてもよい。車輪が主プレートの下面の四隅に取り付けられる。４つのそれぞれの車輪の転がる方向が同一の方向にされる。これにより、台車は、車輪の転がる方向に移動可能とされる。これにより、経机が載せられた状態でこの台車は移動可能となる。
【００２８】
図６は、本考案の他の実施形態に係る台車５０が示された正面断面図である。ここでは、台車２と異なる部分について説明がされる。台車２と同様の構成については、その説明が省略される。
【００２９】
この台車５０は、化粧層５２及び主プレート５４を備えている。化粧層５２は、芯板５６、畳み表５８及びヘリ６０を備えている。芯板５６は下面に凸部６２を備えている。芯板５６の上面は、畳み表５８に被われている。畳み表５８で被われた芯板５６の端は、ヘリ６０で被われている。
【００３０】
主プレート５４は、上面に凹部６４を備えている。この凹部６４の底には孔６６が形成されている。この凹部６４は、芯板５６の凸部６２が嵌り込む形状に形成されている。図６の両矢印Ｈ３は、主プレート５４の上面から畳み表５８の表面までの高さを示している。
【００３１】
この台車５０では、化粧層５２の凸部６２が主プレート５４の凹部６４に嵌り込んでいる。台車２の底面に開口した孔６６から化粧層５２を押し上げることで、化粧層５２を取り外すことが容易にされている。高さＨ３が異なる化粧層５２を取り付けることで、台車５０の高さを変えることができる。この台車５０は、高さの変更が可能である。図示されないが、主プレート５４の上面と化粧層５２との間にスペーサーを挟み込むことでも台車５０の高さを変えることができる。
【００３２】
この台車５０では、化粧層５２が主プレートに対して嵌め合わせ及び取り外し可能とされている。この台車５０では、傷んだ化粧層５２が容易に交換できる。この台車５０は、化粧層５２を外した状態で容易に掃除できる。
【図面の簡単な説明】
【００３３】
【図１】図１は、本考案に係る台車の平面図である。
【図２】図２は、図１の台車の底面図である。
【図３】図３は、図１の台車のIII−III断面図である。
【図４】図４は、図１の台車の使用状態が示された正面図である。
【図５】図５は、図１の台車の使用状態が示された側面図である。
【図６】図６は、本考案の他の実施形態に係る台車が示された正面断面図である。
【符号の説明】
【００３４】
２・・・台車
４・・・化粧層
６・・・主プレート
８・・・側プレート
１０・・・側プレート
１２・・・キャスター
１４・・・本体
１６・・・補強プレート
１８・・・ステー
２０・・・回転軸
２２・・・車輪
２４・・・芯板
２６・・・畳み表
２８・・・ヘリ
３０・・・仏壇
３２・・・経机
３４・・・本体収容部
３６・・・下台
３８・・・内部空間
４０・・・観音開き
４２・・・飾り棚
４４・・・開口
４６・・・天板
４８・・・脚
５０・・・台車
５２・・・化粧層
５４・・・主プレート
５６・・・芯板
５８・・・畳み表
６０・・・ヘリ
６２・・・凸部
６４・・・凹部
６６・・・孔
【図１】
0003145043.tif 000003
【図２】
0003145043.tif 000004
【図３】
0003145043.tif 000005
【図４】
0003145043.tif 000006
【図５】
0003145043.tif 000007
【図６】
0003145043.tif 000008